(57)【要約】【課題】折り畳み可能なディスプレイを安定して支持することができる携帯用情報機器及び該携帯用情報機器に適用可能な支持プレートの製造方法を提供する。【解決手段】携帯用情報機器１０は、第１筐体部材１２Ａと第２筐体部材１２Ｂの内面側に固定されてディスプレイ１６の裏面１６ａを支持する支持プレート１８を備える。そして、支持プレート１８は、第１筐体部材１２Ａの内面側に配置される第１プレート部材２８Ａと、第２筐体部材１２Ｂの内面側に配置される第２プレート部材２８Ｂと、第１プレート部材２８Ａと第２プレート部材２８Ｂの間を二つ折りに折り畳み可能に連結するシート状部材３０とを有し、支持プレート１８の折曲部３２には、その長手方向に延在する補強プレート３４が設けられている。【選択図】図３
2018112836.tif 000002
【特許請求の範囲】
【請求項１】
二つ折りに折り畳み可能な第１筐体部材及び第２筐体部材と、該第１筐体部材と該第２筐体部材の内面間に亘って設けられ、二つ折りに折り畳み可能なディスプレイとを備えた携帯用情報機器であって、
前記第１筐体部材と前記第２筐体部材の内面側に固定されて前記ディスプレイの裏面を支持する支持プレートを備え、
前記支持プレートは、前記第１筐体部材の内面側に配置される第１プレート部材と、前記第２筐体部材の内面側に配置される第２プレート部材と、前記第１プレート部材と前記第２プレート部材の間を二つ折りに折り畳み可能に連結する可撓性シート状部材とを有し、
前記第１プレート部材の一端面と、該第１プレート部材の一端面に対向する前記第２プレート部材の一端面との間には隙間が設けられると共に、前記可撓性シート状部材の前記隙間を覆う部分が前記支持プレートの折曲部となり、
前記折曲部には、前記第１プレート部材の一端面及び前記第２プレート部材の一端面から離間した位置に配置され、該折曲部の長手方向に延在する補強プレートが設けられていることを特徴とする携帯用情報機器。
【請求項２】
請求項１記載の携帯用情報機器において、
前記可撓性シート状部材は、前記第１プレート部材及び前記第２プレート部材の表面の全域に亘って設けられると共に、その表面に前記ディスプレイが固定されていることを特徴とする携帯用情報機器。
【請求項３】
請求項１又は２記載の携帯用情報機器において、
前記補強プレートは、前記第１プレート部材の一端面から前記第２プレート部材の一端面に向かう方向に沿って複数枚が互いに間隔を介して並列配置されていることを特徴とする携帯用情報機器。
【請求項４】
請求項１〜３のいずれか１項に記載の携帯用情報機器において、
前記第１プレート部材の一端面と前記第２プレート部材の一端面との間の前記隙間には、前記可撓性シート状部材を形成する材料が充填されており、
前記補強プレートは、その一部又は全部が前記充填された材料によって包含されていることを特徴とする携帯用情報機器。
【請求項５】
二つ折りに折り畳み可能な一対の筐体部材の内面側で該一対の筐体部材間に亘って設けられ、二つ折りに折り畳み可能な矩形状のディスプレイの裏面側を支持する支持プレートの製造方法であって、
互いに対向する縁部の中央にそれぞれ外方に膨出した膨出部を設けた１枚のプレート部材を形成すると共に、両端部が各膨出部まで延出し、且つ前記縁部に沿う方向に並ぶ複数のスリットで形成された開口部を前記プレート部材の幅方向中央に形成する第１工程と、
前記第１工程の後、シート状部材を前記プレート部材の表面の全域に固着させる第２工程と、
前記第２工程の後、前記互いに対向する縁部に沿って各膨出部を切除することで、前記プレート部材を一対のプレート部材に分割すると共に、該一対のプレート部材間が前記開口部を覆うシート状部材で折曲可能に連結され、且つ該開口部を覆うシート状部材に対して前記縁部に沿う方向に並ぶ複数枚の補強プレートが固着された前記支持プレートを形成する第３工程と、
を有することを特徴とする支持プレートの製造方法。
【発明の詳細な説明】
【技術分野】
【０００１】
本発明は、折り畳み可能な一対の筐体部材の内側に折り畳み可能なディスプレイを設けた携帯用情報機器及び該携帯用情報機器に適用可能な支持プレートの製造方法に関する。
【背景技術】
【０００２】
近年、タッチパネル式の液晶ディスプレイを有し、物理的なキーボードを持たないタブレット型ＰＣやスマートフォン等の携帯用情報機器が急速に普及している。この種の携帯用情報機器のディスプレイは、使用時には大きい方が望ましい反面、携帯時には小型化されることが望まれている。そこで、有機ＥＬ（Electro  Luminescence）等のフレキシブルディスプレイを用いることで、筐体だけでなくディスプレイまでも折り畳み可能に構成した携帯用情報機器も提案されている（例えば、特許文献１参照）。
【先行技術文献】
【特許文献】
【０００３】
【特許文献１】特開２０１４−２１６０２５号公報
【発明の概要】
【発明が解決しようとする課題】
【０００４】
上記のようなフレキシブルディスプレイは非常に薄く、衝撃等にも弱い。このため、ディスプレイは二つ折りに可動する筐体部材の内面側で安定して支持されている必要がある。
【０００５】
本発明は、上記従来技術の課題を考慮してなされたものであり、折り畳み可能なディスプレイを安定して支持することができる携帯用情報機器及び該携帯用情報機器に適用可能な支持プレートの製造方法を提供することを目的とする。
【課題を解決するための手段】
【０００６】
本発明に係る携帯用情報機器は、二つ折りに折り畳み可能な第１筐体部材及び第２筐体部材と、該第１筐体部材と該第２筐体部材の内面間に亘って設けられ、二つ折りに折り畳み可能なディスプレイとを備えた携帯用情報機器であって、前記第１筐体部材と前記第２筐体部材の内面側に固定されて前記ディスプレイの裏面を支持する支持プレートを備え、前記支持プレートは、前記第１筐体部材の内面側に配置される第１プレート部材と、前記第２筐体部材の内面側に配置される第２プレート部材と、前記第１プレート部材と前記第２プレート部材の間を二つ折りに折り畳み可能に連結する可撓性シート状部材とを有し、前記第１プレート部材の一端面と、該第１プレート部材の一端面に対向する前記第２プレート部材の一端面との間には隙間が設けられると共に、前記可撓性シート状部材の前記隙間を覆う部分が前記支持プレートの折曲部となり、前記折曲部には、前記第１プレート部材の一端面及び前記第２プレート部材の一端面から離間した位置に配置され、該折曲部の長手方向に延在する補強プレートが設けられていることを特徴とする。
【０００７】
前記可撓性シート状部材は、前記第１プレート部材及び前記第２プレート部材の表面の全域に亘って設けられると共に、その表面に前記ディスプレイが固定された構成であってもよい。
【０００８】
前記補強プレートは、前記第１プレート部材の一端面から前記第２プレート部材の一端面に向かう方向に沿って複数枚が互いに間隔を介して並列配置された構成であってもよい。
【０００９】
前記第１プレート部材の一端面と前記第２プレート部材の一端面との間の前記隙間には、前記可撓性シート状部材を形成する材料が充填されており、前記補強プレートは、その一部又は全部が前記充填された材料によって包含された構成であってもよい。
【００１０】
本発明に係る支持プレートの製造方法は、二つ折りに折り畳み可能な一対の筐体部材の内面側で該一対の筐体部材間に亘って設けられ、二つ折りに折り畳み可能な矩形状のディスプレイの裏面側を支持する支持プレートの製造方法であって、互いに対向する縁部の中央にそれぞれ外方に膨出した膨出部を設けた１枚のプレート部材を形成すると共に、両端部が各膨出部まで延出し、且つ前記縁部に沿う方向に並ぶ複数のスリットで形成された開口部を前記プレート部材の幅方向中央に形成する第１工程と、前記第１工程の後、シート状部材を前記プレート部材の表面の全域に固着させる第２工程と、前記第２工程の後、前記互いに対向する縁部に沿って各膨出部を切除することで、前記プレート部材を一対のプレート部材に分割すると共に、該一対のプレート部材間が前記開口部を覆うシート状部材で折曲可能に連結され、且つ該開口部を覆うシート状部材に対して前記縁部に沿う方向に並ぶ複数枚の補強プレートが固着された前記支持プレートを形成する第３工程とを有することを特徴とする。
【発明の効果】
【００１１】
本発明によれば、折り畳み可能なディスプレイを折り畳み可能な筐体部材の内面側で支持プレートによって安定して支持することができる。
【図面の簡単な説明】
【００１２】
【図１】図１は、本発明の一実施形態に係る携帯用情報機器を閉じて収納形態とした状態を示した斜視図である。
【図２】図２は、図１に示す携帯用情報機器を開いて使用形態とした状態を模式的に示した斜視図である。
【図３】図３は、図２に示す携帯用情報機器の側面断面図である。
【図４】図４は、支持プレートの構成を模式的に示した斜視図である。
【図５】図５は、図４中のＶ−Ｖ線に沿う断面図である。
【図６Ａ】図６Ａは、支持プレートの基材となるプレート部材を成形した状態を示す平面図である。
【図６Ｂ】図６Ｂは、図６Ａに示すプレート部材の表面にシリコーンからなるシート状部材をモールド成形した状態を示す平面図である。
【図７】図７は、図６Ａ中のＶＩＩで示す囲み部分の拡大図である。
【発明を実施するための形態】
【００１３】
以下、本発明に係る携帯用情報機器について好適な実施形態を挙げ、添付の図面を参照しながら詳細に説明する。
【００１４】
１．携帯用情報機器の全体構成の説明
図１は、本発明の一実施形態に係る携帯用情報機器１０を閉じて収納形態とした状態を示した斜視図である。図２は、図１に示す携帯用情報機器１０を開いて使用形態とした状態を模式的に示した斜視図である。図３は、図２に示す携帯用情報機器１０の側面断面図である。
【００１５】
図１及び図２に示すように、携帯用情報機器１０は、第１筐体部材１２Ａ及び第２筐体部材１２Ｂと、背表紙部１４と、ディスプレイ１６とを備える。本実施形態では携帯用情報機器１０として本のように二つ折りに折り畳み可能なタブレット型ＰＣを例示する。携帯用情報機器１０は携帯電話、スマートフォン又は電子手帳等であってもよい。
【００１６】
各筐体部材１２Ａ，１２Ｂは、それぞれ背表紙部１４に対応する辺以外の３辺に側壁を起立形成した矩形の板状部材である。各筐体部材１２Ａ，１２Ｂは、例えばステンレスやマグネシウム、アルミニウム等の金属板や炭素繊維等の強化繊維を含む繊維強化樹脂板で構成される。筐体部材１２Ａ，１２Ｂの内面側には、支持プレート１８を介してディスプレイ１６が固定される（図３参照）。筐体部材１２Ａ，１２Ｂ間は背表紙部１４の両端部に設けられた一対のヒンジ機構１９，１９を介して連結される。ヒンジ機構１９は、筐体部材１２Ａ，１２Ｂ間を図１に示す収納形態と図３に示す使用形態とに折り畳み可能に連結している。
【００１７】
各筐体部材１２Ａ，１２Ｂは、背表紙部１４側の内端面１２Ａａ，１２Ｂａがヒンジ側となり、背表紙部１４側とは反対側の外端面１２Ａｂ，１２Ｂｂが開放端部側となる。
【００１８】
図３に示すように、第１筐体部材１２Ａの内面には、メイン基板２０がねじ２２を用いて固定される。メイン基板２０は、当該携帯用情報機器１０の全体的な制御を行うための電子基板であり、中央演算装置（ＣＰＵ）２０ａや図示しないメモリ等の各種電子部品が実装されている。
【００１９】
第２筐体部材１２Ｂの内面には、サブ基板２４がねじ２２を用いて固定される。サブ基板２４は、ディスプレイ１６の表示を制御するコントローラとして機能する電子基板である。第２筐体部材１２Ｂの内面には、サブ基板２４と並んでバッテリ装置２６が固定される。バッテリ装置２６は、当該携帯用情報機器１０の電源であり、図示しない電源ケーブルを介して外部電源から充電可能である。
【００２０】
背表紙部１４は、図１に示すように携帯用情報機器１０を折り畳んだ際の背表紙となる可撓性を持った薄い板状部材である。本実施形態の場合、背表紙部１４は内端面１２Ａａ，１２Ｂａを覆うように筐体部材１２Ａ，１２Ｂ間に亘って設けられている。背表紙部１４は、筐体部材１２Ａ，１２Ｂの内面で筐体部材１２Ａ，１２Ｂの並び方向に沿ってスライド可能である。図３に示す使用形態において、背表紙部１４は、互いの内端面１２Ａａ，１２Ｂａ同士が突き当てられた筐体部材１２Ａ，１２Ｂの内面上に沿って平板状に配置される。図１に示す収納形態において、背表紙部１４は、互いに離間した筐体部材１２Ａ，１２Ｂの内端面１２Ａａ，１２Ｂａ間の隙間を覆い隠すように円弧状に配置される。
【００２１】
ディスプレイ１６は、例えばタッチパネル式の液晶ディスプレイである。ディスプレイ１６は、筐体部材１２Ａ，１２Ｂを折り畳んだ際に一緒に折り畳み可能な構造である。ディスプレイ１６は、例えば柔軟性の高いペーパー構造を持った有機ＥＬ等のフレキシブルディスプレイであり、筐体部材１２Ａ，１２Ｂの開閉動作に伴って開閉する。ディスプレイ１６は、支持プレート１８を介して各筐体部材１２Ａ，１２Ｂの内面側に取付固定される。ディスプレイ１６は、その表示面（表面）の裏面１６ａが支持プレート１８の表面１８ａに接着剤等を用いて貼着固定される。
【００２２】
図２及び図３に示すように、ディスプレイ１６は、筐体部材１２Ａ，１２Ｂの内面側に支持プレート１８を介して取付固定された状態で、その表面の外周縁部にベゼル部材２７が配設される。ベゼル部材２７は、ディスプレイ１６の表面の表示領域（アクティブ領域）Ｒ１を除く外周縁部の非表示領域（非アクティブ領域）Ｒ２を覆うように設けられる。
【００２３】
２．支持プレートの説明
支持プレート１８について説明する。ディスプレイ１６は極めて薄いため、単体で筐体部材１２Ａ，１２Ｂに固定すると破損や不具合を生じる懸念がある。そこで、当該携帯用情報機器１０では、ディスプレイ１６の裏面１６ａに支持プレート１８を固着したアセンブリ部品を筐体部材１２Ａ，１２Ｂに取付固定している。
【００２４】
２．１  支持プレートの構成の説明
先ず、支持プレート１８の構成を説明する。図４は、支持プレート１８の構成を模式的に示した斜視図である。図５は、図４中のＶ−Ｖ線に沿う断面図である。
【００２５】
図４及び図５に示すように、支持プレート１８は、第１プレート部材２８Ａ及び第２プレート部材２８Ｂと、シート状部材（可撓性シート状部材）３０とを有する。
【００２６】
第１プレート部材２８Ａは、第１筐体部材１２Ａの内面側に配置される矩形の板状部材である。第１プレート部材２８Ａの平面視での外形は第１筐体部材１２Ａよりも若干小さい（図３参照）。第２プレート部材２８Ｂは、第２筐体部材１２Ｂの内面側に配置される矩形の板状部材である。第２プレート部材２８Ｂの平面視での外形は第２筐体部材１２Ｂよりも若干小さい（図３参照）。各プレート部材２８Ａ，２８Ｂは、例えばステンレスやマグネシウム、アルミニウム等の金属板や炭素繊維等の強化繊維を含む繊維強化樹脂板で構成される。
【００２７】
第１プレート部材２８Ａ及び第２プレート部材２８Ｂは、その表面１８ａ，１８ａ間に亘って固着されたシート状部材３０により、二つ折りに折り畳み可能に連結されている。各プレート部材２８Ａ，２８Ｂは、互いに対向する内端面（一端面）２８Ａａ，２８Ｂａがヒンジ側となり、ヒンジ側とは反対側の外端面（他端面）２８Ａｂ，２８Ｂｂが開放端部側となる。図５に示すように、プレート部材２８Ａ，２８Ｂの内端面２８Ａａ，２８Ｂａ間には隙間Ｇが設けられている。
【００２８】
シート状部材３０は、薄い樹脂膜のような可撓性を持った材質で構成された薄膜である。シート状部材３０は、プレート部材２８Ａ，２８Ｂの隙間Ｇを覆った状態で各プレート部材２８Ａ，２８Ｂの表面１８ａの全域に亘って固着されている。シート状部材３０の表面には、接着剤や両面テープ等を用いてディスプレイ１６が固着される。シート状部材３０は、隙間Ｇを覆う部分が支持プレート１８の折曲部（フレキシブルヒンジ）３２として機能する。
【００２９】
シート状部材３０は、例えばモールド成形によって各プレート部材２８Ａ，２８Ｂの表面１８ａにシリコーン等の樹脂材料を固着したものである。シート状部材３０は、接着剤等を用いてプレート部材２８Ａ，２８Ｂの表面１８ａに接着してもよい。本実施形態の場合、シート状部材３０はモールド成形で薄膜状に設けたシリコーンであり、図５に示すように各プレート部材２８Ａ，２８Ｂ間の隙間Ｇを埋めるように充填されている。
【００３０】
図５に示すように、折曲部３２には、補強プレート３４が複数枚（図５に示す構成例では４枚）設けられている。補強プレート３４は、折曲部３２の長手方向に沿って、つまりプレート部材２８Ａ，２８Ｂの内端面２８Ａａ，２８Ｂａに沿って延在する帯形状の板状部材である。各補強プレート３４は、折曲部３２の幅方向に沿って、つまり内端面２８Ａａから内端面２８Ｂａに向かう方向に沿って互いに間隔を介して並列配置されている。補強プレート３４は１枚でもよく、省略してもよい。本実施形態の場合、補強プレート３４は、プレート部材２８Ａ，２８Ｂと同一の材料及び板厚で構成している。
【００３１】
補強プレート３４は、隙間Ｇに充填されたシート状部材３０（及び後述するシート状部材３６）によって包含されている。補強プレート３４は、一部のみがシート状部材３０（３６）によって包含された構造であってもよい。これにより、支持プレート１８がＵ字状に折り曲げられた際、補強プレート３４がシート状部材３０から剥離を生じることを防止できる。
【００３２】
図５に示すように、各補強プレート３４の表面１８ａ側の縁角部はＲ形状とされている。同様に、各プレート部材２８Ａ，２８Ｂの内端面２８Ａａ，２８Ｂａの表面１８ａ側の縁角部もＲ形状とされている。このＲ形状により、支持プレート１８がＵ字状に折り曲げられた際、シート状部材３０がプレート部材２８Ａ，２８Ｂや補強プレート３４の角部によって破損や剥離を生じることを防止できる。
【００３３】
図５に示すように、本実施形態の場合、折曲部３２の裏面側を覆うシート状部材３６を設けている。シート状部材３６は、プレート部材２８Ａ，２８Ｂの隙間Ｇ近傍の裏面側を覆うように各プレート部材２８Ａ，２８Ｂ及び補強プレート３４の裏面１８ｂに固着されている。シート状部材３６は、隙間Ｇを跨ぐようにこの隙間Ｇの端縁部にのみ設けられている。シート状部材３６は、シート状部材３０と同様な材料で形成されている。
【００３４】
図３に示すように、各プレート部材２８Ａ，２８Ｂは、例えば内端面２８Ａａ，２８Ｂａ以外の３辺の外周端面が取付片３８や取付部４０を用いて各筐体部材１２Ａ，１２Ｂに取付固定される。取付片３８は、例えば各プレート部材２８Ａの板厚と同一又は多少薄い板厚を持った先端円弧状の突出片である。取付部４０は、例えば円筒形状のボス部材である。これら取付片３８及び取付部４０は、ねじ２２を介して各筐体部材１２Ａ，１２Ｂに締結される。
【００３５】
２．２  支持プレートの製造方法の説明
次に、支持プレート１８の製造方法の一例を説明する。図６Ａは、支持プレート１８の基材となるプレート部材４２を成形した状態を示す平面図である。図６Ｂは、図６Ａに示すプレート部材４２の表面にシリコーンからなるシート状部材３０をモールド成形した状態を示す平面図である。図７は、図６Ａ中のＶＩＩで示す囲み部分の拡大図である。
【００３６】
支持プレート１８を製造する際は、先ず、図６Ａに示す支持プレート１８の原型となる１枚のプレート部材４２を形成する（第１工程）。プレート部材４２は、例えば材料となる金属板等をコンピュータ数値制御（ＣＮＣ）工作機械等によって切削加工して形成する。プレート部材４２は、第１プレート部材２８Ａと第２プレート部材２８Ｂと折曲部３２とを合わせた外形を有する。
【００３７】
プレート部材４２の互いに対向する縁部４２ａ（図６Ａ中で上縁部と下縁部）の中央には、外方に膨出したタブ状の膨出部４４がそれぞれ形成される。プレート部材４２の幅方向中央には、開口部４６が延在形成される。開口部４６は、支持プレート１８の折曲部３２を構成する部分であり、その両端部が膨出部４４まで延出している。本実施形態の場合、折曲部３２には補強プレート３４が並設される。そこで、開口部４６は、補強プレート３４の枚数分に対応する数のスリット４６ａを並列した構成としている（図７も参照）。
【００３８】
図６Ａに示すプレート部材４２を所定の金型内に配置する。そして、図６Ｂに示すようにプレート部材４２の表面にモールド成形によってシリコーンを固着させてシート状部材３０を形成する（第２工程）。シート状部材３０は、膨出部４４及び開口部４６を覆うように設けられる。続けて、このプレート部材４２を別の金型内に配置し、モールド成形によってシート状部材３６を形成する。シート状部材３６はシート状部材３０と同時に成形してもよい。
【００３９】
図６Ｂ中に１点鎖線で示す縁部４２ａに沿ったカット線Ｃにより、各膨出部４４を切除する（第３工程）。この際、開口部４６はその両端部が各膨出部４４まで延出している。このため、カット線Ｃによって開口部４６の両端部も切除される（図７参照）。その結果、各膨出部４４を切除することで、プレート部材４２は、開口部４６を覆うシート状部材３０によって互いに連結された第１プレート部材２８Ａと第２プレート部材２８Ｂとに分割される。この開口部４６を覆うシート状部材３０は、プレート部材２８Ａ，２８Ｂ間の隙間Ｇに補強プレート３４を包含するように並設した折曲部３２を構成する。これにより、図４に示す支持プレート１８の製造が完了する。
【００４０】
特に当該製造方法では、１枚のプレート部材４２の表面にシート状部材３０をモールド成形によって設けた後、膨出部４４を切除することで２枚のプレート部材２８Ａ，２８Ｂを折曲部３２で連結した支持プレート１８を形成する。このため、折曲部３２を含む支持プレート１８の表面１８ａ全域がシート状部材３０で均一な平面となり、ディスプレイ１６を一層安定して支持することができる。
【００４１】
３．携帯用情報機器の作用効果の説明
以上のように、本実施形態に係る携帯用情報機器１０では、第１筐体部材１２Ａと第２筐体部材１２Ｂの内面側に固定されてディスプレイ１６の裏面１６ａを支持する支持プレート１８を備える。そして、支持プレート１８は、第１筐体部材１２Ａの内面側に配置される第１プレート部材２８Ａと、第２筐体部材１２Ｂの内面側に配置される第２プレート部材２８Ｂと、第１プレート部材２８Ａと第２プレート部材２８Ｂの間を二つ折りに折り畳み可能に連結するシート状部材３０とを有する。また、第１プレート部材２８Ａの内端面２８Ａａと、第２プレート部材２８Ｂの内端面２８Ｂａとの間には隙間Ｇが設けられると共に、シート状部材３０の隙間Ｇを覆う部分が支持プレート１８の折曲部３２となる。そして、折曲部３２には、第１プレート部材２８Ａの内端面２８Ａａ及び第２プレート部材２８Ｂの内端面２８Ｂａから離間した位置に配置され、折曲部３２の長手方向に延在する補強プレート３４が設けられている。
【００４２】
このように当該携帯用情報機器１０は、折り畳み可能なフレキシブルディスプレイであるディスプレイ１６の裏面１６ａを折り畳み可能な支持プレート１８で支持している。従って、筐体部材１２Ａ，１２Ｂの内面側でディスプレイ１６を支持プレート１８によって安定して支持することができる。その結果、ディスプレイ１６に対する衝撃や負荷を支持プレート１８で受け止めることができ、ディスプレイ１６の不具合の発生を抑制できる。しかも、支持プレート１８は、シート状部材３０の折曲部３２にその長手方向に延在する補強プレート３４を設けている。これにより、ディスプレイ１６の折曲部３２に対応する部分にも柔軟なシート状部材３０だけでなく硬質の補強プレート３４が配設される。その結果、ディスプレイ１６の耐衝撃性が折曲部３２に対応する部分で脆弱になることを防止でき、その全域に亘って高い耐衝撃性を確保できる。この際、補強プレート３４は複数枚が間隔を介して並設されることで、折曲部３２での折曲性能を低減することなく耐衝撃性を向上できる。
【００４３】
シート状部材３０は、第１プレート部材２８Ａ及び第２プレート部材２８Ｂの表面１８ａの全域に亘って設けられると共に、その表面にディスプレイ１６が固定される。従って、互いに連結された２枚のプレート部材２８Ａ，２８Ｂを有する支持プレート１８の表面全域に設けたシート状部材３０で均一な平面とすることができる。これにより、ディスプレイ１６を一層安定して支持することができ、不具合の発生を一層確実に抑制できる。
【００４４】
なお、本発明は、上記した実施形態に限定されるものではなく、本発明の主旨を逸脱しない範囲で自由に変更できることは勿論である。
【符号の説明】
【００４５】
１０  携帯用情報機器
１２Ａ  第１筐体部材
１２Ｂ  第２筐体部材
１４  背表紙部
１６  ディスプレイ
１８  支持プレート
１９  ヒンジ機構
２０  メイン基板
２０ａ  中央演算装置
２２  ねじ
２４  サブ基板
２６  バッテリ装置
２８Ａ  第１プレート部材
２８Ｂ  第２プレート部材
３０，３６  シート状部材
３２  折曲部
３４  補強プレート
４２  プレート部材
４２ａ  縁部
４４  膨出部
４６  開口部
４６ａ  スリット
Ｇ  隙間
【図１】
2018112836.tif 000003
【図２】
2018112836.tif 000004
【図３】
2018112836.tif 000005
【図４】
2018112836.tif 000006
【図５】
2018112836.tif 000007
【図６Ａ】
2018112836.tif 000008
【図６Ｂ】
2018112836.tif 000009
【図７】
2018112836.tif 000010